(57)【要約】【課題】既存の通信システムに影響を最小限として、ＩＭＳ端末にインターネット接続からのＩＭＳサービスへのアクセスを行なえる環境を提供する。【解決手段】ＩＭＳサービスシステムとして、インターネット網から インターネット上に設置されるＩＭＳサービスに用いるサーバに接続するための所定情報をＥＦとして記録された 加入者情報の特定に使用されるＩＣカードと、移動体通信回線を介さずにインターネット網に接続するネットワーク接続インタフェース部を介してインターネット網と接続している間に、接続されているＩＣカードから、ＩＭＳサービスに用いるサーバの所定情報の取得を試み、取得できた際に該所定情報に基づいてサーバにアクセスする処理を行う制御部とを具備するＩＭＳ端末と、ＩＣカードに記録されている所定情報に対応するサーバを含み、ＩＭＳサービスを提供するＩＭＳサーバ群と、を含み成る。【選択図】図１
2013239884.tif 000002
【特許請求の範囲】
【請求項１】
インターネット網から インターネット上に設置されるＩＭＳ（IP Multimedia Subsystem）サービスに用いるサーバに接続するための所定情報をＥＦ（Elementary File）として記録された 加入者情報の特定に使用されるＩＣカードと、
前記ＩＣカードと接続するためのＩＣカード接続インタフェース部と、
移動体通信回線を介さずにインターネット網に接続するネットワーク接続インタフェース部と、
前記ネットワーク接続インタフェース部を介してインターネット網と接続している間に、前記ＩＣカード接続インタフェース部を介して接続されているＩＣカードから、該ＩＣカードに記録されているＩＭＳサービスに用いる前記サーバの所定情報の取得を試み、取得できた際に該所定情報に基づいて、前記サーバにアクセスする処理を行う制御部と
を具備するＩＭＳ端末と、
少なくとも、前記ＩＣカードに記録されている所定情報に対応するインターネット上に設置された前記サーバを含み、アクセスしてきたＩＭＳ端末に対してＩＭＳサービスを提供するＩＭＳサーバ群と、
を含み成ることを特徴とするＩＭＳサービスシステム。
【請求項２】
前記ＩＣカードにＥＦとして記録される所定情報は、オペレータによって指定された前記サーバのホスト名およびドメイン名であり、
前記ＩＭＳ端末は、インターネット上にあるＤＮＳサーバを介して、前記サーバのグローバルＩＰアドレスを取得して、前記サーバにアクセスしてＩＭＳサービスを受ける
ことを特徴とする請求項１記載のＩＭＳサービスシステム。
【請求項３】
前記ＩＣカードにＥＦとして記録される所定情報は、オペレータによって指定された前記サーバのグローバルＩＰアドレスであり、
前記ＩＭＳ端末は、前記グローバルＩＰアドレスを前記ＩＣカードから読み取って、前記サーバにアクセスしてＩＭＳサービスを受ける
ことを特徴とする請求項１記載のＩＭＳサービスシステム。
【請求項４】
前記ＩＣカードのＥＦにオペレータによって記録される前記サーバは、Ｐ−ＣＳＣＦサーバである
ことを特徴とする請求項１ないし３の何れか一項に記載のＩＭＳサービスシステム。
【請求項５】
前記ＩＭＳ端末は、
標準化されているＰ−ＣＳＣＦサーバ検出手順を実行して、Ｐ−ＣＳＣＦサーバアドレスが取得できない場合に、
前記ＩＣカードに記録されているＩＭＳサービスに用いる前記Ｐ−ＣＳＣＦサーバの所定情報の取得を試み、取得できた際に該所定情報に基づいて、前記サーバにアクセスする処理を行う
ことを特徴とする請求項４記載のＩＭＳサービスシステム。
【請求項６】
前記ＩＭＳ端末は、移動体通信回線網に接続する移動体通信回線接続インタフェース部を有し、
前記ＩＭＳサービスは、前記移動体通信回線網に前記移動体通信回線接続インタフェース部を介して接続して提供を受ける移動体音声サービスである
ことを特徴とする請求項１ないし５の何れか一項に記載のＩＭＳサービスシステム。
【請求項７】
移動体通信サービスに用いるインターネット上のサーバのホスト名およびドメイン名 若しくはグローバルＩＰアドレスをＥＦとして記録された 加入者情報の特定に使用されるＩＣカードと、
前記ＩＣカードと接続するためのＩＣカード接続インタフェース部と、
移動体通信回線を介さずにインターネット網に接続するネットワーク接続インタフェース部と、
標準化されているＰ−ＣＳＣＦサーバ検出手順を実行して、Ｐ−ＣＳＣＦサーバアドレスが取得できない場合に、前記ＩＣカード接続インタフェース部を介して接続されているＩＣカードから、該ＩＣカードに記録されている移動体通信サービスに用いる前記サーバのホスト名およびドメイン名 若しくはグローバルＩＰアドレスの取得を試み、取得できた際に該ホスト名およびドメイン名 若しくはグローバルＩＰアドレスに基づいて、前記サーバにアクセスする処理を行う制御部と
を具備するＩＭＳ端末と、
少なくとも、前記ＩＣカードに記録されているホスト名およびドメイン名 若しくはグローバルＩＰアドレスに対応するインターネット上に設置された前記サーバを含み、アクセスしてきたＩＭＳ端末に対して移動体通信サービスを提供するＩＭＳサーバ群と、
を含み成るＩＭＳサービスシステム。
【請求項８】
オペレータから提供され加入者情報の特定に使用されるＩＣカードと接続するためのＩＣカード接続インタフェース部と、
移動体通信回線を介さずにインターネット網に接続するネットワーク接続インタフェース部と、
前記ネットワーク接続インタフェース部を介してインターネット網と接続している間に、
前記ＩＣカード接続インタフェース部を介して接続されているＩＣカードから、ＥＦとして記録されているＩＭＳサービスに用いるインターネット上に設置されたサーバの所定情報の取得を試み、
前記所定情報を取得できた際に、該所定情報に基づいて前記サーバにアクセスする処理を行う制御部と、
を具備することを特徴とするＩＭＳ端末。
【請求項９】
前記ＩＣカードにＥＦとして記録される所定情報は、オペレータによって指定された前記サーバのホスト名およびドメイン名であり、
前記制御部は、インターネット上にあるＤＮＳサーバを介して、前記サーバのグローバルＩＰアドレスを取得して、前記サーバにアクセスしてＩＭＳサービスを受ける
ことを特徴とする請求項８記載のＩＭＳ端末。
【請求項１０】
前記ＩＣカードにＥＦとして記録される所定情報は、オペレータによって指定された前記サーバのグローバルＩＰアドレスであり、
前記制御部は、前記グローバルＩＰアドレスを前記ＩＣカードから読み取って、前記サーバにアクセスしてＩＭＳサービスを受ける
ことを特徴とする請求項８記載のＩＭＳ端末。
【請求項１１】
前記ＩＣカードのＥＦにオペレータによって記録される前記サーバは、Ｐ−ＣＳＣＦサーバであり、
前記制御部は、前記Ｐ−ＣＳＣＦサーバにアクセスしてＩＭＳサービスを受ける
ことを特徴とする請求項８ないし１０の何れか一項に記載のＩＭＳ端末。
【請求項１２】
前記制御部は、
標準化されているＰ−ＣＳＣＦサーバ検出手順を実行して、Ｐ−ＣＳＣＦサーバアドレスが取得できない場合に、
前記ＩＣカードに記録されているＩＭＳサービスに用いる前記Ｐ−ＣＳＣＦサーバの所定情報の取得を試み、取得できた際に該所定情報に基づいて、前記サーバにアクセスする処理を行う
ことを特徴とする請求項１１記載のＩＭＳ端末。
【請求項１３】
移動体通信回線網に接続する移動体通信回線接続インタフェース部を有し、
前記ＩＭＳサービスは、前記移動体通信回線網に前記移動体通信回線接続インタフェース部を介して接続して提供を受ける移動体音声サービスである
ことを特徴とする請求項８ないし１２の何れか一項に記載のＩＭＳ端末。
【請求項１４】
オペレータから提供され加入者情報の特定に使用されるＩＣカードと接続するためのＩＣカード接続インタフェース部と、
移動体通信回線を介さずにインターネット網に接続するネットワーク接続インタフェース部と、
標準化されているＰ−ＣＳＣＦサーバ検出手順を実行して、Ｐ−ＣＳＣＦサーバアドレスが取得できない場合に、前記ＩＣカード接続インタフェース部を介して接続されているＩＣカードから、ＥＦとして記録されている移動体通信サービスに用いるインターネット上に設置されたサーバのホスト名およびドメイン名 若しくはグローバルＩＰアドレスの取得を試み、前記オペレータによってホスト名およびドメイン名 若しくはグローバルＩＰアドレスが前記ＩＣカードに設定されていて、該情報を取得できた際に、該ホスト名およびドメイン名 若しくはグローバルＩＰアドレスに基づいて、前記サーバにアクセスする処理を行う制御部と
を具備することを特徴とするＩＭＳ端末。
【請求項１５】
オペレータによって、インターネット網から インターネット上に設置されるＩＭＳサービスに用いるサーバに接続するための所定情報をＥＦとして記録された 加入者情報の特定に使用されるＩＣカードが提供され、
少なくとも、前記ＩＣカードに記録されている所定情報に対応するインターネット上に設置された前記サーバを含み、アクセスしてきたＩＭＳ端末に対してＩＭＳサービスを提供するＩＭＳサーバ群に対して、
所要のＩＭＳサービスを受けるＩＭＳ端末は、
ネットワーク接続インタフェース部を介してインターネット網と接続している間に、
前記オペレータから提供されてＩＣカード接続インタフェース部に接続されている前記ＩＣカードから、該ＩＣカードに記録されているＩＭＳサービスに用いる前記サーバの所定情報の取得を試み、
取得できた際に、該所定情報に基づいて、前記サーバにアクセスする処理を行う
ことを特徴とするＩＭＳサービスサーバ検出方法。
【請求項１６】
前記ＩＣカードにＥＦとして記録される所定情報は、オペレータによって指定された前記サーバのホスト名およびドメイン名であり、
前記ＩＭＳ端末は、インターネット上にあるＤＮＳサーバを介して、前記サーバのグローバルＩＰアドレスを取得して、前記サーバにアクセスしてＩＭＳサービスを受ける
ことを特徴とする請求項１５記載のＩＭＳサービスサーバ検出方法。
【請求項１７】
前記ＩＣカードにＥＦとして記録される所定情報は、オペレータによって指定された前記サーバのグローバルＩＰアドレスであり、
前記ＩＭＳ端末は、前記グローバルＩＰアドレスを前記ＩＣカードから読み取って、前記サーバにアクセスしてＩＭＳサービスを受ける
ことを特徴とする請求項１５記載のＩＭＳサービスサーバ検出方法。
【請求項１８】
前記オペレータは、ユーザに提供するＩＣカードのＥＦに、インターネット網からの接続で提供するＩＭＳサービスでのＰ−ＣＳＣＦサーバの前記所定情報を設定する
ことを特徴とする請求項１５ないし１７の何れか一項に記載のＩＭＳサービスサーバ検出方法。
【請求項１９】
前記ＩＭＳ端末は、
標準化されているＰ−ＣＳＣＦサーバ検出手順を実行して、Ｐ−ＣＳＣＦサーバアドレスが取得できない場合に、
前記ＩＣカードに記録されているＩＭＳサービスに用いる前記Ｐ−ＣＳＣＦサーバの所定情報の取得を試み、取得できた際に該所定情報に基づいて、前記サーバにアクセスする処理を行う
ことを特徴とする請求項１５ないし１８の何れか一項に記載のＩＭＳサービスサーバ検出方法。
【請求項２０】
前記ＩＭＳ端末は、移動体通信回線網に接続する移動体通信回線接続インタフェース部を有し、
前記ＩＭＳサービスは、前記移動体通信回線網に前記移動体通信回線接続インタフェース部を介して接続して提供を受ける移動体音声サービスである
ことを特徴とする請求項１５ないし１９の何れか一項に記載のＩＭＳサービスサーバ検出方法。
【請求項２１】
オペレータによって、インターネット網から インターネット上に設置される移動体通信サービスに用いるサーバのホスト名およびドメイン名 若しくはグローバルＩＰアドレスをＥＦとして記録された 加入者情報の特定に使用されるＩＣカードが提供され、
少なくとも、前記ＩＣカードに記録されているサーバのホスト名およびドメイン名 若しくはグローバルＩＰアドレスに対応するインターネット上に設置された前記サーバを含み、アクセスしてきたＩＭＳ端末に対して移動体通信サービスを提供するＩＭＳサーバ群に対して、
所要の移動体通信サービスを受けるＩＭＳ端末は、
標準化されているＰ−ＣＳＣＦサーバ検出手順を実行して、Ｐ−ＣＳＣＦサーバアドレスが取得できない場合に、
前記オペレータから提供されてＩＣカード接続インタフェース部に接続されている前記ＩＣカードから、該ＩＣカードに記録されている移動体通信サービスに用いる前記サーバのホスト名およびドメイン名 若しくはグローバルＩＰアドレスの取得を試み、
取得できた際に該ホスト名およびドメイン名 若しくはグローバルＩＰアドレスに基づいて、前記サーバにアクセスする処理を行う
ことを特徴とするＩＭＳサービスサーバ検出方法。
【発明の詳細な説明】
【技術分野】
【０００１】
本発明は、ＩＭＳ（IP Multimedia Subsystem）サービスを提供する通信システムに関する。詳しくは、ＩＭＳ端末から、ＩＭＳサービスを提供するサーバシステムへのインターネット回線を介してのアクセス方法に関する。
【背景技術】
【０００２】
近年、ＩＭＳ携帯端末の高速化・高機能化により、移動体通信網を流れる通信トラフィックが増加している。移動体通信網を提供している各オペレータ（：電気通信事業者：キャリア）は、この爆発的な増加傾向にある通信トラフィック（：データフロー：ＩＰ（Internet Protocol）パケット）をインターネット網にデータオフロードを行っている。
【０００３】
今日のＩＭＳ携帯端末では、Ｗ−ＬＡＮ（Wireless LAN）などの無線インタフェースを介して、移動体通信網を介さずにインターネット網に接続できるように構成されている。
【０００４】
移動体通信網のデータオフロードは、一般的なパーソナルコンピュータと同様の仕組みを用いて、家庭でのブロードバンドルータや公衆Ｗ−ＬＡＮステーションなどのアクセスポイントを介して、ＩＭＳ携帯端末をインターネット網に接続して行われている。
【０００５】
この仕組みによって、ＩＭＳ携帯端末は、移動体通信で用いられている無線通信帯域を逼迫させることなしに、ホームページの閲覧やＷｅｂメールなどのインターネット接続サービスを受けられる。
【０００６】
ところで、移動体通信サービスを受けられるＩＭＳ携帯端末に インターネット網に直接的に接続することによって インターネット環境を提供するに当たり、各オペレータが管理する接続設備やコア網等の設備を介在する方式と、介在しない方式がある。  
各オペレータが管理する設備を介在する方式であれば、ＩＭＳ携帯端末を特定することが可能となる。他方、オペレータが有する設備を介在しない方式であれば、ＩＭＳ携帯端末を特定することが不能である。なお、各オペレータが管理する設備を介在するには、所定のアクセスポイントから接続する必要があると共に、通信をコア網やアクセス網を介することが必要になっている。このため、各オペレータが有する設備を介在することによって、コア網やアクセス網の通信リソースを消費すること、アクセスポイントの設置に多大なコストが生ずることなどの問題が生じる。  
この方式の違いによって、各オペレータが移動体通信サービス（例えば、電話、留守番電話、ＳＭＳメール、課金、など）として独自に提供している様々なサービスが使用できるか否かが定まっている。
【０００７】
また、ＬＴＥ（Long Term Evolution）や、その他４Ｇサービスでは、２Ｇ・３Ｇ網での回線交換方式による同期通信（音声通話）と同じ方法が用意されない。今後の移動体通信サービスでも回線交換方式を用意することはないと考えられる。  
このため、移動体通信サービスで提供されていた電話サービス（回線交換方式による音声通信）は、ＩＭＳサービスとして統合され、パケット交換方式によるＩＰネットワーク上にてＶｏＩＰ（Voice over Internet Protocol）技術を用いて実施しなければならない。
【０００８】
しかしながら、オペレータが提供するＶｏＩＰを含むＩＭＳサービス（例えば電話サービス、ＴＶ電話サービス）では、インターネット経由では接続できておらず、ＶｏＩＰ等のＩＭＳサービスで発生するトラフィックを、固定網や公衆アクセスポイントなどによるインターネット接続サービスにデータオフロードすることができなかった。
【０００９】
このことによって、ユーザは、ＬＴＥ網などに直接的に接続すること無しに、オペレータが提供している電話サービスを利用できていない。この問題は、他の側面では、移動体通信網と接続できない地下などの環境での電話サービス等を使用できないとの問題とも云える。このようにユーザの利便性も損なわれている側面もある。
【００１０】
なお、今日のＩＭＳ携帯端末は、ＵＩＭカード（User Identity Module card）やＳＩＭカード（Subscriber Identity Module card）などと呼ばれる加入者情報などが記録されているＩＣカード（IC card）を接続するＩＣカード接続インタフェースを有している。このＵＩＭカード等は、一般にオペレータとのサービス提供の契約に対してユーザに提供される。このＩＣカードをＩＭＳ携帯端末に接続することで、移動体通信網を介してオペレータが提供するサービスを受けられるように通信システムが構築されている。
【００１１】
これらＩＭＳサービスなどの移動体通信に関連する技術は、例えば、特許文献１から６に挙げられる。また、標準規格を示した多くの文献に記載されている。
【００１２】
特許文献１には、Ｗ−ＬＡＮ／Ｗ−ＷＡＮ（Wireless Wide Area Network）を経由してＩＭＳのサーバ群にアクセスするアーキテクチャが開示されている。このアーキテクチャでは、Ｗ−ＬＡＮ（アクセスポイント）と一体的に動作するパケットデータゲートウェイ（ＰＤＧ）をセルラー網の一部として設けて、Ｗ−ＬＡＮとＩＭＳのサーバ群とを結びつける。なお、このようなアーキテクチャでは、オペレータは、Ｗ−ＬＡＮ（アクセスポイント）の設置・維持に多大なコストを要する。
【００１３】
特許文献２には、ＩＭＳ非対応端末（一般的なＰＣ、レガシーフォンなど）をＩＭＳサービスに接続するために用いるホームゲートウェイ装置が記載されている。また、ホームゲートウェイ装置に、ＩＭＳサービスに用いる加入者情報の特定に使用されるＩＣカード（ＩＳＭＩ：ＩＭＳ ＳＩＭ）を用いる必要性が説明されている。
【００１４】
特許文献３には、ＩＭＳサービスの一つである音声通信サービスをＩＭＳ携帯端末に提供時に、ＩＭＳ携帯端末の移動に伴ない、使用しているＰ−ＣＳＣＦ（Proxy CSCF）を他のＰ−ＣＳＣＦに、音声通信サービスを維持しながら切り替える方法が記載されている。
【００１５】
特許文献４には、オペレータが提供するフェムトセル基地局とアクセス判断装置を用いて、ＩＭＳ携帯端末から任意のインターネットサーバへのアクセスをＵＲＬ（Uniform Resource Locator）フィルタリングする方法が記載されている。この方法では、オペレータが定めるフィルタリングをＩＭＳ携帯端末に提供すると共に、フェムトセル基地局から乗り入れるデータフローを移動体通信網を介さずにインターネット網にデータオフロードできる。
【００１６】
特許文献５には、移動体通信網内でのＩＭＳサービスに用いるＰ−ＣＳＣＦ（サーバ）を検出するためのメカニズムが記載されている。また、ＰＤＰコンテキストアクチベーションプロシージャなどについても説明されている。
【００１７】
特許文献６には、ＩＭＳネットワークで用いるためのパブリックＤＮＳ（Domain Name System）サーバと オペレータが主体で提供するコアネットワークに属するプライベートＤＮＳサーバと の連係が行われるＩＭＳネットワーク内でのアドレス解決方法が記載されている。
【先行技術文献】
【特許文献】
【００１８】
【特許文献１】特表２００６−５２５７６２号公報
【特許文献２】特表２００８−５１８５３６号公報
【特許文献３】特開２００９−０２１６８８号公報
【特許文献４】特開２００９−２７１８４２号公報
【特許文献５】特表２０１０−５２７５２０号公報
【特許文献６】特表２０１０−５０８６８２号公報
【発明の概要】
【発明が解決しようとする課題】
【００１９】
移動体通信では、今後もデータオフロードが重要になる。そのため、Ｗ−ＬＡＮなどのアクセスポイントからインターネット網に接続できることがＩＭＳ携帯端末に求められる。
【００２０】
他方、ＩＭＳ携帯端末に、移動体通信サービスを常時提供することも重要な課題の一つである。
【００２１】
また、既存のインターネット網に、移動体通信回線を介さずに接続した際に、ＩＭＳ携帯端末に移動体通信サービスを提供するための仕組みが標準化されていない問題もある。このため、ユーザは、例えばＬＴＥ網に接続すること無しに、オペレータが提供している電話サービスなどを利用できていない。
【００２２】
より具体的に課題を見出せば、ＩＭＳサービスに接続するためのレジストレーションプロシージャでのＰ−ＣＳＣＦ（Primary Call Session Control Function）の検出について、既存のインターネット環境、既存のＩＭＳ携帯端末、既存のＩＭＳサービスシステムの現状を考慮して、利便性に優れたインターネットからのＰ−ＣＳＣＦの検出手段が提供されていない。  
これは、既存の通信システムを用いて説明すれば、ＩＭＳ携帯端末が固定網や公衆アクセスポイント経由でインターネットに接続した場合に、一般的に行われるレジストレーションプロシージャではＰ−ＣＳＣＦサーバを検出できない。  
別の表現で説明すれば、現在の通信インフラでは、このようなインターネットへの接続時には、PDP Context Activationは実施されない。同様に、公衆アクセスポイントや家庭アクセスポイントとなる一般ＷＬＡＮルータに搭載されているＤＨＣＰ（Dynamic Host Configuration Protocol）機能は、特定のオペレータのＰ−ＣＳＣＦサーバアドレスを知らないため、ＩＭＳ携帯端末にＰ−ＣＳＣＦサーバのアドレスを通知しない。
【００２３】
また、一般的なＷＬＡＮルータに搭載されているＤＨＣＰ機能が通知するローカルなドメイン名を使用して、インターネット上のパブリックＤＮＳサーバへNAPTRクエリーを送信しても、パブリックＤＮＳサーバは正しくＩＭＳに係るリソースを応答することができない。
【００２４】
これらの理由により、ＩＭＳ携帯端末は、Ｐ−ＣＳＣＦサーバのホスト名及びドメイン名、グローバルＩＰアドレスなどを取得できずに、ＩＭＳサービスへのアクセスができない。
【００２５】
これらの問題への対策として、オペレータが提供するＩ−ＷＬＡＮ（Interworking WLAN）方式をサポートした所定のアクセスサービス経由でオペレータ網に接続することでしか 既存のＩＭＳサービス（ＩＭＳ携帯端末が２Ｇ・３Ｇ等の移動体通信網からアクセスして受けるＩＭＳサービス）を利用できていない。
【００２６】
上記のように、インターネット網に直接的に接続したＩＭＳ端末（ＩＭＳ携帯端末）がオペレータの提供するＩＭＳサービスに接続することに、解決すべき課題を見出す。
【００２７】
その中の一つの課題は、既存の通信システム（ＩＭＳネットワーク、インターネット、各種サーバ、ＩＭＳ端末、標準規格、運用ルール）などに、多くの変更点を生じさせること無く、ＩＭＳサービスを提供する所要のサーバ（Ｐ−ＣＳＣＦサーバなど）へのアクセス経路を、ＩＭＳ端末に提供できる通信インフラを提供することである。
【００２８】
本発明は、上記課題に鑑みて幾つかを解決するために成されたものであり、インターネット網およびオペレータによる移動体通信網が混在する通信環境において、インターネット回線に接続したＩＭＳ端末が オペレータが提供するＩＭＳサービスを受けられるＩＭＳサービスシステムを提供することを一つの目的とする。
【課題を解決するための手段】
【００２９】
本発明に係るＩＭＳサービスシステムは、インターネット網から インターネット上に設置されるＩＭＳサービスに用いるサーバに接続するための所定情報をＥＦとして記録された 加入者情報の特定に使用されるＩＣカードと、前記ＩＣカードと接続するためのＩＣカード接続インタフェース部と、移動体通信回線を介さずにインターネット網に接続するネットワーク接続インタフェース部と、前記ネットワーク接続インタフェース部を介してインターネット網と接続している間に、前記ＩＣカード接続インタフェース部を介して接続されているＩＣカードから、該ＩＣカードに記録されているＩＭＳサービスに用いる前記サーバの所定情報の取得を試み、取得できた際に該所定情報に基づいて、前記サーバにアクセスする処理を行う制御部とを具備するＩＭＳ端末と、少なくとも、前記ＩＣカードに記録されている所定情報に対応するインターネット上に設置された前記サーバを含み、アクセスしてきたＩＭＳ端末に対してＩＭＳサービスを提供するＩＭＳサーバ群と、を含み成ることを特徴とする。
【００３０】
本発明に係るＩＭＳ端末は、オペレータから提供され加入者情報の特定に使用されるＩＣカードと接続するためのＩＣカード接続インタフェース部と、移動体通信回線を介さずにインターネット網に接続するネットワーク接続インタフェース部と、前記ネットワーク接続インタフェース部を介してインターネット網と接続している間に、前記ＩＣカード接続インタフェース部を介して接続されているＩＣカードから、ＥＦとして記録されているＩＭＳサービスに用いるインターネット上に設置されたサーバの所定情報の取得を試み、前記所定情報を取得できた際に、該所定情報に基づいて前記サーバにアクセスする処理を行う制御部と、を具備することを特徴とする。
【００３１】
本発明に係るＩＭＳサービスサーバ検出方法は、オペレータによって、インターネット網から インターネット上に設置されるＩＭＳサービスに用いるサーバに接続するための所定情報をＥＦとして記録された 加入者情報の特定に使用されるＩＣカードが提供され、少なくとも、前記ＩＣカードに記録されている所定情報に対応するインターネット上に設置された前記サーバを含み、アクセスしてきたＩＭＳ端末に対してＩＭＳサービスを提供するＩＭＳサーバ群に対して、所要のＩＭＳサービスを受けるＩＭＳ端末は、ネットワーク接続インタフェース部を介してインターネット網と接続している間に、前記オペレータから提供されてＩＣカード接続インタフェース部に接続されている前記ＩＣカードから、該ＩＣカードに記録されているＩＭＳサービスに用いる前記サーバの所定情報の取得を試み、取得できた際に、該所定情報に基づいて、前記サーバにアクセスする処理を行うことを特徴とする。
【発明の効果】
【００３２】
本発明によれば、一つに、インターネット網およびオペレータによる移動体通信網が混在する通信環境において、インターネット回線に接続したＩＭＳ端末が オペレータが提供するＩＭＳサービスを受けられるＩＭＳサービスシステムを提供できる。
【図面の簡単な説明】
【００３３】
【図１】実施形態のＩＭＳサービスシステムの構成例を示す概略図である。
【図２】実施形態の通信システムのＲＡＮ経由での処理フローを示すシーケンス図である。
【図３】実施形態の通信システムのインターネット接続ネットワーク経由での処理フローを示すシーケンス図である。
【図４】実施例の移動体通信システムにおけるＲＡＮ経由での処理動作を示す説明図である。
【図５】実施例の移動体通信システムにおけるＬＡＮ経由での処理動作を示す説明図である。
【図６】実施例の移動体通信サービスシステムにおけるＲＡＮおよびＬＡＮ接続状態での処理動作を示す説明図である。
【図７】ＩＭＳ携帯端末の制御部が行うＰ−ＣＳＣＦサーバへのアクセス試行に伴う処理フローを例示するフローチャートである。
【図８】実施例の移動体通信システムのＬＡＮ経由での処理フローを示すシーケンス図である。
【図９】別の実施例の移動体通信システムにおけるＬＡＮ経由での処理動作を示す説明図である。
【発明を実施するための形態】
【００３４】
本発明の実施の形態を図１ないし図９に基づいて説明する。
【００３５】
図１は、実施形態のＩＭＳサービスシステムの構成例を示す概略図である。なお、ＲＡＮ（Radio Access Network）を介してＩＭＳサービスを受けるための構成などの既存の構成や処理動作の説明は簡略化又は省略する。
【００３６】
コアネットワーク１０は、オペレータによって構築され、ＩＭＳサービス用サーバ群を含む。ＩＭＳサービス用サーバ群には、既存のＣＳＣＦ（Call Session Control Function）や、ＨＳＳ（Home Subscriber Server）、ＡＳ（Application servers）などが含まれる。また、コアネットワーク１０には、ＲＡＮ１〜３や、ＣＳ（Circuit Switching）ネットワーク、インターネット２０との接続インタフェースなども含まれる。
【００３７】
インターネット２０は、多くのネットワークの提供者によって構築され、ｗｗｗ（World Wide Web）などが提供されている。また、インターネット２０には、図示するようにパブリックＤＮＳ（Domain Name System）が提供されている。インターネット接続ネットワーク２１は、インターネット２０へのアクセスポイントとなる機器（無線アクセスポイント，プロキシサーバ，ブロードバンドルータなど）を含み、インターネットとのゲートウェイとなる。本説明では、この無線アクセスポイントは、ＤＨＣＰ機能、ゲートゥエイ機能により、ＩＭＳ携帯端末３０にローカルＩＰアドレスを付与して、インターネット接続環境をＩＭＳ携帯端末３０に提供する。なお、ネットワーク構成は自由であり、別にＤＨＣＰサーバやゲートウェイ装置を設ける構成でも、インターネット２０に無線接続する構成でもよい。
【００３８】
ＩＭＳ携帯端末３０は、ＩＭＳ端末であり、加入者情報が記録されているＩＣカード４０（３ＧではＵＩＭカード、ＧＳＭ（登録商標）ではＳＩＭカードなど）を接続するＩＣカード接続インタフェース部と、それぞれの移動体通信無線インタフェース部とを備え、ＩＭＳサービス（電話サービスやインターネット接続サービスなど）をＲＡＮ経由で受けられる。  
また、ＩＭＳ携帯端末３０は、Ｂｌｕｅｔｏｏｔｈ（登録商標）やＷｉ-Ｆｉ（登録商標）に対応したネットワーク接続インタフェース部を備え、それぞれの通信規格に則ってインターネット接続ネットワーク２１（アクセスポイント）に接続できる。なお、ＩＭＳ端末に設けられるインターネット接続ネットワーク部は、ＬＡＮやＷＡＮなどのどのようなネットワーク形態に接続してもよく、インターネットに接続できればどのような通信規格でもよい。
【００３９】
ＩＭＳ携帯端末３０は、インターネットに直接的に接続して、標準化されているインターネット技術等に基づいて、インターネット上で提供されている各種サービスを受けられる。
【００４０】
上記ＩＣカード４０は、オペレータ（NVNO（Mobile Virtual Network Operator）、NVNE（Mobile Virtual Network Enabler）なども含む）によって提供され、電話番号の特定などを行える加入者情報が記録されている。  
また、一般的に記録されている情報に加え、ＩＭＳサービスに用いるサーバのホスト名およびドメイン名 若しくはグローバルＩＰアドレスをElementary File（以降ＥＦと記す）として記録される。このＥＦに記録されるＩＭＳサービスに用いるサーバに接続するための所定情報は、例えば、ＩＣカード４０の製造時、ユーザへの提供時、ユーザへの提供後などにオペレータの管理下の元で記録される。
【００４１】
ここで、ＩＭＳ携帯端末３０が、内蔵するネットワーク接続インタフェースを介してインターネット網と接続している間に、ＩＭＳサービスを受ける処理を開始することとする。このＩＭＳサービスへの接続処理（開始タイミング）は、例えば、ユーザ操作によって開始してもよいし、インターネット網に接続した際にシステム的に開始してもよい。また、所定のタイミング毎に開始することしてもよい。また、アプリケーションプログラムの指定したタイミングで開始することしてもよい。
【００４２】
ＩＭＳ携帯端末３０（制御部３１）は、ＩＭＳサービスの接続処理を開始する際に、ＩＣカード４０から後述するＩＭＳ先導サーバ５０の所定情報（ホスト名およびドメイン名 若しくはグローバルＩＰアドレス）の取得を試みる。なお、この処理と同時的（並行的、先、後、リトライエラー時など）に、他のＩＭＳサービスへの接続処理（標準化に規定されている処理など）を行なうことが望ましい。
【００４３】
ＩＣカード４０から後述するＩＭＳ先導サーバ５０の所定情報を取得できた際に、含まれていたホスト名およびドメイン名 若しくはグローバルＩＰアドレスに基づいて、既存のインターネット技術に則り（即ち、ＤＨＣＰ やＤＮＳなどを使用して）ＩＭＳ先導サーバ５０にアクセスする。
【００４４】
ＩＭＳ先導サーバ５０は、１ないし複数のオペレータによって、一般的なグローバルＩＰアドレスが割当てられてインターネット上に設置される。ＩＭＳ先導サーバ５０は、アクセスしてきたＩＭＳ端末に対して、それぞれのＩＭＳ端末に応じたコアネットワーク１０への先導を行なう。また、ＩＭＳ端末から得る加入者情報等を参照して、任意のＩＭＳ提供サーバに割振るようにしてもよい。
【００４５】
ＩＭＳ先導サーバ５０は、Ｐ−ＣＳＣＦとしての動作を行うようにしてもよいし、コアネットワーク１０とインターネット２０とのゲートウェイとして設けてもよい。また、ＩＭＳ先導サーバ５０は、単純にリダイレクトを行なう構成でもよいし、認証や課金などを行なう構成などを有してもよい。
【００４６】
このようなネットワークアーキテクチャをもって、ＩＭＳサービスシステムを提供するオペレータは、ユーザに 所要のＩＣカード４０を提供することで、既存のインターネット環境、市販されるＩＭＳ携帯端末３０等を用いて、ＲＡＮを介して接続することと同様のサービスを行なえるようになる。
【００４７】
次に、本システムにおけるＩＭＳ携帯端末３０等の処理動作を説明する。  
図２および図３は、実施形態の通信システムの処理フローを示すシーケンス図である。
【００４８】
本実施形態では、標準化技術として規定されているレジストレーションプロシージャを拡張する。すなわち、ＩＭＳ携帯端末３０からコアネットワーク１０に配置されるＰ−ＣＳＣＦサーバを検出するための処理動作を説明する。本処理動作後、ＩＭＳ携帯端末３０は、Ｐ−ＣＳＣＦサーバにアクセスして、既存の処理手順に則ってＩＭＳサービスを受け付ける処理を行う。
【００４９】
ＩＭＳサービスに接続するためのレジストレーションプロシージャでのＰ−ＣＳＣＦサーバ検出方法としては、一般的である以下の３つを用いる。  
１． ２Ｇ・３Ｇなど携帯電話網でのパケット通信アクティベーション時に行われるPDP Context ActivationプロシージャにてＰ−ＣＳＣＦサーバアドレスが通知される。  
２． 端末からのDHCPリクエストに対する応答でＰ−ＣＳＣＦサーバアドレスが通知される。  
３． オペレータ網のＤＮＳサーバに、ＤＨＣＰサーバから取得したドメイン名を設定したNAPTRクエリー、及びSRV DNSクエリーを使用してホスト名、及びドメイン名を取得し、名前解決を実施してＰ−ＣＳＣＦサーバアドレスを取得する。
【００５０】
ＩＭＳ携帯端末３０は、ネットワーク接続後に、図２に示すように、１．PDP Context Activationプロシージャでの取得、２．ＤＨＣＰサーバからの取得、及び ３．オペレータ網のＤＮＳサーバへのNAPTRクエリー問い合わせ、によって、Ｐ−ＣＳＣＦサーバアドレスが得られた場合、ＩＭＳ携帯端末３０に搭載されているＩＣカード４０を用いるレジストレーションプロシージャを行わない。すなわち、ＩＭＳ携帯端末３０は、既存動作でのＰ−ＣＳＣＦサーバの検出を完了する。
【００５１】
他方、ＩＭＳ携帯端末３０は、ネットワーク接続後に、図３に示すように、１．PDP Context Activationプロシージャでの取得、２．ＤＨＣＰサーバからの取得、及び ３．オペレータ網のＤＮＳサーバへのNAPTRクエリー問い合わせ、によって、Ｐ−ＣＳＣＦサーバアドレスが得られなかった場合、ＩＭＳ携帯端末３０に搭載されているＩＣカード４０のＥＦから、ＩＭＳ先導サーバ５０のサーバアドレスを示す所定情報（ホスト名およびドメイン名 若しくはグローバルＩＰ）の取得を試みる。
【００５２】
ＩＣカード４０は、ＩＭＳ携帯端末３０からの要求に応えて、所定情報があれば応答する。他方、所定情報が無ければエラーや所定情報が無いことを返答する。
【００５３】
ＩＣカード４０のＥＦからＩＭＳ先導サーバ５０のサーバアドレスが取得できた場合、ＩＭＳ携帯端末３０は、インターネット接続ネットワーク２１を介してインターネット２０上で、既存のＤＮＳサーバでの名前解決によりＩＭＳ先導サーバ５０のＩＰアドレスを取得してアクセスする。
【００５４】
ＩＭＳ先導サーバ５０は、ＩＭＳ携帯端末３０からのアクセスを受け、オペレータが設定したように、必要に応じた 認証や課金、転送すべきＰ−ＣＳＣＦサーバの確認、など を行った後、コアネットワーク１０内のサーバ群へのＩＭＳ携帯端末３０の接続を受け渡す。
【００５５】
ＩＭＳ携帯端末３０は、ＩＭＳ先導サーバ５０での認証等を受けた後に、コアネットワーク１０内の１ないし複数の所定のサーバに接続して、オペレータが提供するＩＭＳサービス（電話サービスなど）をユーザに提供する。
【００５６】
このように、ＩＣカード４０のＥＦにインターネット上で既存のインターネット技術（ＤＨＣＰやＤＮＳなど）を用いることで名前解決が可能なドメイン名などをオペレータが適宜設定することで、インターネット経由でオペレータのＩＭＳサービスへ接続することを可能とする。
【００５７】
オペレータの発行するＩＣカード４０のＥＦには、オペレータしか書き込むことができないため、そのＩＣカード４０を搭載したＩＭＳ端末がオペレータの指定するＩＭＳ先導サーバ５０（Ｐ−ＣＳＣＦサーバ、ゲートウェイサーバなど）以外へ接続しないことが保障される。
【００５８】
また、オペレータがインターネット経由でＩＭＳサービスを提供しない場合は、ＩＣカード４０のＥＦにＩＭＳ先導サーバ５０のホスト名やドメイン名を設定しなければよい。換言すれば、オペレータがインターネット経由でのＩＭＳサービスを提供しない場合は、ＩＣカード４０の該当ＥＦに情報を書き込まずに運用すれば、既存の運用と変わらないように動作する。
【００５９】
上記仕組みによって、対応ＩＭＳ端末は、既存のＵＩＭカードやＳＩＭカードを挿して動作させても、誤動作なく動作する。また、ＩＣカード４０は、既存のＩＭＳ携帯端末に挿されて動作させても誤動作なく動作する。
【００６０】
オペレータは、インターネット上にグローバルＩＰアドレスを割当てたＩＭＳ先導サーバ５０を配置すると共に、ＩＣカード４０の提供時に適宜所定情報の書き込みユーザに提供することで、対応ＩＭＳ端末に対してインターネットからのＩＭＳ接続処理を行い得る環境を提供できる。
【００６１】
このように本実施形態では、既存の通信インフラに対して、標準化上で規定されているレジストレーションプロシージャを拡張して、インターネット側からレジストレーションプロシージャを実行できる。
【００６２】
すなわち、既存の通信インフラや標準技術などを考慮した、インターネットとのインターワークに対応させたＩＭＳサービスシステムでのＩＭＳサーバ検出メカニズムを提供できる。
【００６３】
次に、実施例を用いて本発明に係るＩＭＳ携帯端末等の処理動作を説明する。
【００６４】
［実施例の構成］ 
図４、図５は、実施例におけるシステム構成を示す説明図である。
【００６５】
図４はＩＭＳ携帯端末が２Ｇ又は３Ｇで移動体通信網に接続しているときの処理動作を示す説明図である。
【００６６】
ＩＭＳ携帯端末３００は、搭載されているＵＩＭカード４００から、加入者情報を取得して利用して、２Ｇ又は３ＧのＲＡＮ（Radio Access Network）１１０に接続する。その後、ＩＰパケット通信を行うために、ＧＧＳＮ（Gateway GPRS Support Node）１１１との間でPDP Context Activationプロシージャを実施する。
【００６７】
PDP Context Activationプロシージャが完了し、ＩＰパケット通信ができるようになると、ＩＭＳ携帯端末３００は、オペレータコアネットワーク１００に接続する。そこでＩＰアドレスの割り当てをＤＨＣＰサーバ１０１に依頼して、ＩＰアドレスのアサインを受ける。この時、ＤＮＳサーバ１０２のアドレスの通知も一緒に受ける。
【００６８】
その後、ＩＭＳ携帯端末３００は、ＤＨＣＰサーバ１０１から受け取ったＤＮＳサーバ１０２のアドレスを使用して、ドメイン名の名前解決を実施し、インターネット接続などのＩＭＳサービスを提供するサーバへ接続する。
【００６９】
ＩＭＳサービスのサーバへ接続する場合、ＩＭＳ携帯端末３００は、標準化で規定されている以下の３つの手段を用いてＰ−ＣＳＣＦサーバ１０３のＩＰアドレスの取得を試みる。
【００７０】
１．PDP Context ActivationプロシージャでＧＧＳＮ１１１より通知されるＰ−ＣＳＣＦサーバ１０３のＩＰアドレスを取得する  
２．ＤＨＣＰサーバ１０１でのＩＰアドレスアサイン時にＤＨＣＰサーバ１０１より通知されるＰ−ＣＳＣＦサーバ１０３のＩＰアドレスを取得する  
３．ＤＮＳサーバ１０２にNAPTRクエリーリクエストを送信し、レスポンスに含まれるリソースのリストから ＳＩＰ（Session Initiation Protocol）サービスを選択する。次に、SRV DNSクエリーリクエストでＳＩＰサービスを提供しているサーバのホスト名及びドメイン名を取得し、ＤＮＳサーバ１０２で名前解決をすることで得られるＰ−ＣＳＣＦサーバのＩＰアドレスを取得する
これら取得したＰ−ＣＳＣＦサーバ１０３のアドレスから、適切なＰ−ＣＳＣＦサーバを選択することで、ＩＭＳ携帯端末３００は、ＳＩＰのREGISTERメッセージをＰ−ＣＳＣＦサーバ１０３に送信し、レジストレーションプロシージャを開始できる。
【００７１】
図５はＩＭＳ携帯端末３００がオペレータの管理下にないローカルエリアネットワーク２１０にＷｉ−Ｆｉ等のアクセス手段で接続しているときの処理動作を示す説明図である。ＩＭＳ携帯端末３００は、このオペレータの管理下にないＬＡＮ経由でインターネット２００に接続する。
【００７２】
オペレータは、インターネット接続からでもＩＭＳサービスを提供する場合、インターネット上にグローバルＩＰが割当てられたＰ−ＣＳＣＦサーバ２０１を設置する。また、オペレータは、ＤＮＳへの登録などの対応を行なう。
【００７３】
ＩＭＳ携帯端末３００は、ローカルエリアネットワーク２１０に接続すると、ＤＨＣＰサーバ２１１に対してＩＰアドレス（ローカルＩＰ）の割り当てを要求し、ＩＰアドレスのアサインを受ける。この時、ＤＮＳサーバ２０２のアドレスも一緒に通知を受けることもできる。ＩＭＳ携帯端末３００は、ユーザが設定したＤＮＳサーバやＬＡＮ網やオペレータの管理者が指定したＤＮＳサーバを使用することもできるが、本実施例ではＤＨＣＰサーバ２１１から通知されたＤＮＳサーバ２０２を使用する例を説明する。
【００７４】
ＩＭＳ携帯端末３００は、ＤＨＣＰサーバ２１１から受け取ったＤＮＳサーバ２０２のアドレスを使用してドメイン名の名前解決を実施し、所要のサービスを提供するサーバ群（ＣＳＣＦサーバやＩＳＰサーバ等）に接続する。
【００７５】
ＩＭＳサービスを利用する際にＩＭＳ携帯端末３００は、インターネットに接続できている状態で、ＵＩＭカード４００から所定情報を読み出して、ＤＮＳサーバ２０２との間でＰ−ＣＳＣＦサーバの名前解決を実施し、所望のＩＭＳサービスに接続する。
【００７６】
なお、インターネット上に展開されている一般的なサービスを利用する際には、インターネットに接続できているので、ＩＭＳ携帯端末３００に搭載されているＵＩＭカード４００は使用されない。
【００７７】
また、図６に示すように、ＩＭＳ携帯端末３００は、２Ｇ・３Ｇアクセス機能とＷｉ−Ｆｉアクセス機能とを、別々に並列的に動作させることができるため、図４の構成と図５の構成は同時となるケースも存在する。この際には、サービス毎やアプリケーション毎などで分けて通信トラフィックを処理すればよい。また、移動体通信網を優先としてもよいし、インターネット網を優先としてもよい。
【００７８】
次に図４、図５、図６に加え、図７、図８を参照して、本実施例の全体の動作について詳細に説明する。
【００７９】
まず、図７を参照して、ＩＭＳ携帯端末３００に係る処理動作例を説明する。  
図７は、ＩＭＳ携帯端末３００の制御部が行うＰ−ＣＳＣＦサーバへのアクセス試行を示すフローチャートである。
【００８０】
ＩＭＳサービスへ接続処理を行う際に、ＩＭＳ携帯端末３００（制御部３１０）は、まず標準化で規定されている３つの手段で、Ｐ−ＣＳＣＦサーバアドレスの取得を試みる（Ｓ１０１）。
【００８１】
Ｐ−ＣＳＣＦサーバ１０３のＩＰアドレスの取得に成功した場合（２Ｇ・３Ｇ移動体通信網に接続している）、ＩＭＳ携帯端末３００は、ＳＩＰのレジストレーションプロシージャ（Ｓ１０６）に進む（Ｓ１０２の成功）。  
他方、標準化で規定された３つの手段で、Ｐ−ＣＳＣＦサーバのＩＰアドレスが取得に失敗した場合は、ＩＭＳ携帯端末３００は、次ステップのＵＩＭカード４００からのＰ−ＣＳＣＦサーバアドレスの取得（Ｓ１０３）に進む（Ｓ１０２の失敗）。
【００８２】
なお、この際に、ＩＭＳ携帯端末３００がインターネットのみに接続している場合は、以下の要因により、標準化で規定されている３つの手段では、Ｐ−ＣＳＣＦサーバアドレスが取得できないこととなる。  
・ Ｗｉ−Ｆｉ等のアクセス手段を用いてローカルエリアネットワークに接続するため、２Ｇ・３Ｇ Radio Access Networkで用いられる、PDP Context Activationプロシージャが実施されない。  
・ ローカルエリアネットワークに配置されたＤＨＣＰサーバ２１１は、特定のオペレータのＰ−ＣＳＣＦサーバ２０１のアドレスを保持していない。  
・ インターネットに配置されるＤＮＳサーバは、特定のオペレータコアネットワークのリソースレコードを保持していない。そのため、NAPTRクエリレスポンスにリソース情報を設定して応答することが出来ない。
【００８３】
次に、ＩＭＳ携帯端末３００（制御部３１０）は、ＵＩＭカード４００と通信し合い、該当ＥＦからＰ−ＣＳＣＦサーバのホスト名およびドメイン名の取得を試みる（Ｓ１０３）。このＥＦには、図５で示されるインターネット接続で用いるＰ−ＣＳＣＦサーバ２０１のホスト名およびドメイン名（オペレータが指定するＰ−ＣＳＣＦサーバアドレス）が書き込まれている。
【００８４】
ＵＩＭカード４００からのＥＦ読み込み応答にＰ−ＣＳＣＦサーバのホスト名、及びドメイン名が含まれていた場合、ＩＭＳ携帯端末３００は、ＤＮＳサーバ２０２にアクセスして、取得済みのＰ−ＣＳＣＦサーバのホスト名およびドメイン名の名前解決を実施して、Ｐ−ＣＳＣＦサーバ２０１のＩＰアドレスを取得する（Ｓ１０４）。
【００８５】
他方、ＵＩＭカード４００からのＥＦ読み込み応答に Ｐ−ＣＳＣＦサーバのホスト名およびドメイン名が含まれない場合、ＩＭＳ携帯端末３００は、Ｐ−ＣＳＣＦサーバのアドレスを得られる手段がないため、ＩＭＳサービスへの接続をエラー処理する（Ｓ１０５）。この処理では、ネットワーク環境や取得できている情報、アプリからの指示などを参照しながら、終了、一時中断、即時リトライなどの処理を行えばよい。
【００８６】
Ｐ−ＣＳＣＦサーバ１０３又はＰ−ＣＳＣＦサーバ２０１のＩＰアドレスが取得できた場合は、Ｐ−ＣＳＣＦサーバにＳＩＰのレジストレーションプロシージャを開始する（Ｓ１０６）。
【００８７】
このようにして、インターネットにのみ接続しているＩＭＳ携帯端末であってもＰ−ＣＳＣＦサーバにアクセスできるので、ＩＭＳサービスの提供を受けられるようになる。
【００８８】
次に、図６で示すようなＩＭＳ携帯端末３００が同時に両方のネットワークに接続している場合の処理動作例を説明する。  
図７の処理順に従うならば、ＩＭＳ携帯端末３００がＩＭＳサービスに接続する場合、まず、標準化で規定された３つの手段でのＰ−ＣＳＣＦサーバのＩＰアドレスの取得を試みる（Ｓ１０１）。  
ＩＭＳ携帯端末３００は、ＩＭＳサービスが提供されている２Ｇ・３Ｇ携帯電話網に接続しているので、３つの手段の何れか又は全てで、Ｐ−ＣＳＣＦサーバ１０３のＩＰアドレスを取得できる。
【００８９】
Ｐ−ＣＳＣＦサーバ１０３のＩＰアドレスが取得できたので、Ｐ−ＣＳＣＦの選択を実施して、SIPのレジストレーションプロシージャを開始する（Ｓ１０６）。
【００９０】
このようにして、２Ｇ・３Ｇ携帯電話網とインターネットに同時に接続しているＩＭＳ携帯端末３００がＩＭＳサービスを提供するＰ−ＣＳＣＦサーバに接続できる。
【００９１】
なお、この処理例では、２Ｇ・３Ｇ携帯電話網を優先している。インターネット網を優先する際には、Ｓ１０３に係る処理を先に行えばよい。また、並列的に行なってもよい。
【００９２】
次に、図８を参照して、インターネット２００に設けられたＰ−ＣＳＣＦサーバ２０１への通信フローを説明する。
【００９３】
ＩＭＳ携帯端末３００の制御部３１０は、以下の手順で、ＵＩＭカード４００から、Ｐ−ＣＳＣＦサーバ２０１のホスト名及びドメイン名が保存されているＥＦの読み込みを試みて、Ｐ−ＣＳＣＦサーバ２０１とのレジストレーションプロシージャを開始する。
【００９４】
まず、ＩＭＳ携帯端末３００の制御部３１０は、標準化されている手順でのＰ−ＣＳＣＦサーバアドレスの取得を行なえないことを識別する（Ｓ２０１）。  
制御部３１０は、ＵＩＭカード３０８に対して、ＥＦ読み込み要求を送信する（Ｓ２０２）。  
ＵＩＭカード４００は、要求されたＥＦが存在する場合、ＥＦの内容を含めたＥＦ読み込み応答を返信する（Ｓ２０３）。ＥＦが存在しない場合は、ＥＦの内容を含まないＥＦ読み込み応答を返信する。  
ＵＩＭカード４００にＰ−ＣＳＣＦサーバ２０１のホスト名及びドメイン名が保存されているＥＦが存在する場合、制御部３１０はＰ−ＣＳＣＦサーバ２０１のホスト名、及びドメイン名を取得する（Ｓ２０４）。
【００９５】
次に、ＩＭＳ携帯端末３００の制御部３１０は、Ｐ−ＣＳＣＦサーバ２０１のＩＰアドレスを取得するため、インターネット接続を使用して、得られたホスト名及びドメイン名について、ＤＮＳサーバ２０２との間で名前解決を実施する（Ｓ２０４）。
【００９６】
なお、一般的な処理とすれば、ＩＭＳ携帯端末３００は、ＤＮＳサーバ２０２に対して、Ｐ−ＣＳＣＦサーバのホスト名及びドメイン名を含めた名前解決クエリーリクエストを送信する。その要求を受けたＤＮＳサーバ２０２は、要求されたホスト名及びドメイン名の名前解決を実施して、ＩＰアドレスを名前解決クエリーリクエストに含めてＩＭＳ携帯端末３００に応答する。
【００９７】
ＩＭＳ携帯端末３００は、一連のＰ−ＣＳＣＦサーバＩＰアドレスの取得動作が完了した時点で、得られたＰ−ＣＳＣＦサーバから適切なＰ−ＣＳＣＦサーバを選択する（Ｓ２０５）
ＩＭＳ携帯端末３００は、その後ＳＩＰのREGISTERメッセージを 選択したＰ−ＣＳＣＦサーバ２０１に送信して レジストレーションプロシージャを開始する（Ｓ２０６）。
この後、オペレータが提供するＩＭＳサービスの提供が開始される。
【００９８】
［発明の他の実施例］ 
本発明の他の実施例として、図９を参照して構成を説明する。
【００９９】
オペレータは、ＵＩＭカード４００発行時に、インターネット上のＰ−ＣＳＣＦサーバのホスト名及びドメイン名ではなく、オペレータのコアネットワーク１００とインターネット２００の間のゲートウエイサーバ１０４のホスト名およびドメイン名、をＵＩＭカードのＥＦに設定する。なお、ゲートウエイサーバ１０４のグローバルＩＰアドレスを直接設定するようにしてもよい。
【０１００】
ＵＩＭカード４００からゲートウエイサーバ１０４のホスト名及びドメイン名を取得したＩＭＳ携帯端末３００は、ＤＮＳサーバ２０２で名前解決を実行し、ゲートウエイサーバ１０４のＩＰアドレスを取得する。または、ＵＩＭカード４００からゲートウエイサーバ１０４のＩＰアドレスを取得できた場合、ＩＭＳ携帯端末３００は、そのＩＰアドレスを使用する。
【０１０１】
ＩＭＳ携帯端末３００は、取得したゲートウエイサーバ１０４をＰ−ＣＳＣＦとして、ゲートウエイサーバ１０４との間でＳＩＰのレジストレーションプロシージャを実行する。
【０１０２】
ゲートウエイサーバ１０４は、ＳＩＰ用のポート番号への接続を、オペレータコアネットワーク１００内のＰ−ＣＳＣＦサーバ１０３へフォワーディングすることで、Ｐ−ＣＳＣＦサーバ１０３とＩＭＳ携帯端末３００間で、ＳＩＰのレジストレーションプロシージャが実行される。
【０１０３】
本構成の他の実施例の動作については、上記実施例や既存システムと同様となる。
【０１０４】
［効果の説明］
以上説明したように、本発明は、以下に記載するような効果を奏する。
【０１０５】
第１の効果は、オペレータの発行したＵＩＭカードを搭載したＩＭＳ端末であれば、携帯電話網に接続することなく、インターネット経由でＩＭＳサービスに接続できることである。
【０１０６】
第２の効果は、ＵＩＭカードのＥＦより、Ｐ−ＣＳＣＦサーバのホスト名およびドメイン名 等を取得することで、インターネット標準の名前解決手順が使用できる。このため、インターネットにのみ接続されている状態のＩＭＳ端末でもＰ−ＣＳＣＦサーバを検出して接続できる。
【０１０７】
第３の効果は、オペレータの管理化にあるＩＣカードのＥＦにホスト名およびドメイン名 等を保存することで、オペレータが希望しないＰ−ＣＳＣＦサーバに接続しないことが保障されることである。
【０１０８】
第４の効果は、オペレータがインターネット経由でＩＭＳサービスを提供しない場合に、ＵＩＭカードのＥＦにＰ−ＣＳＣＦサーバのホスト名 等を保存しなければよい。換言すれば、オペレータがＥＦを設定しない選択を行えば、標準化で規定されている手順のみが実行される。このため、オペレータにサービスの自由度が与えられる。
【０１０９】
尚、ＩＭＳ端末の各部は、ハードウェアとソフトウェアの組み合わせを用いて実現すればよい。ハードウェアとソフトウェアとを組み合わせた形態では、ＲＡＭに上記アドレス解決に係るプログラムが展開され、そのプログラムに基づいて制御部（ＣＰＵ）等のハードウェアを動作させることによって、各部を各種手段として実現する。また、そのプログラムは、記憶媒体に記録されて頒布されても良い。当該記録媒体に記録されたプログラムは、有線、無線、又は記録媒体そのものを介して、メモリに読込まれ、制御部等を所要に動作させる。尚、記録媒体を例示すれば、オプティカルディスクや磁気ディスク、半導体メモリ装置、ハードディスクなどが挙げられる。
【０１１０】
上記実施の形態を別の表現で説明すれば、ＩＭＳ端末を、ＲＡＭに展開されたインターネット回線からのＩＭＳサービスサーバを検出ためのプログラムに基づき、制御部を説明したように動作させることで実現することが可能である。
【０１１１】
上記に実施の形態を図示して説明するが、そのブロック構成の分離併合、手順の入れ替えなどの変更は本発明の趣旨および説明される機能を満たせば自由であり、下記説明が本発明を限定するものではない。
【０１１２】
以上説明したように、本発明によれば、インターネット網およびオペレータによる移動体通信網が混在する通信環境において、インターネット回線に接続したＩＭＳ端末が オペレータが提供するＩＭＳサービスを受けられるＩＭＳサービスシステムを提供できる。
【０１１３】
また、このＩＭＳ端末によれば、既存のシステムの変更を伴わずに、オペレータがインターネット上に設置したＩＭＳサービス用のサーバに、ＩＣカードに所要情報（ホスト名およびドメイン名 若しくはグローバルＩＰアドレスなどのＩＭＳサービスへのアクセス経路を得る情報）を記載するのみで、接続してユーザにＩＭＳサービスを提供できる。
【０１１４】
また、既存のＩＣカードや、既存のＩＭＳ端末、既存のＩＭＳ携帯端末、既存のゲートウェイ装置などとの親和性が良く、現存する通信環境をそのまま使用できる。
【０１１５】
すなわち、既存の通信インフラや標準技術など変更せずに、インターネットとのインターワークに対応させたＩＭＳサービスシステムでのＩＭＳサーバ検出メカニズムを提供できる。
【０１１６】
なお、本発明の具体的な構成は前述の実施の形態に限られるものではなく、この発明の要旨を逸脱しない範囲の変更があってもこの発明に含まれる。
【産業上の利用可能性】
【０１１７】
本発明は、携帯電話・スマートフォン等のＩＭＳ端末での２Ｇ、３Ｇ、ＬＴＥ、ＷｉＭＡＸ、Ｗｉ−Ｆｉ等のネットワークアクセス方式にとらわれないＶｏＩＰ（移動体音声サービス）やメッセージング等のＩＭＳサービスを通信インフラとして構築できる。また、本発明は、既存のＩＭＳ携帯端末用に提供されているサービスを、ＩＭＳ端末に提供することも可能になる。
【符号の説明】
【０１１８】
１０    コアネットワーク
２０    インターネット
３０    ＩＭＳ携帯端末（ＩＭＳ端末）
３１    制御部
４０    ＩＣカード
５０    ＩＭＳ先導サーバ（Ｐ−ＣＳＣＦ）
１００  オペレータコアネットワーク
１０１  ＤＨＣＰサーバ
１０２  ＤＮＳサーバ
１０３  Ｐ−ＣＳＣＦサーバ
１０４  ゲートウエイサーバ
１１０  ＲＡＮ（Radio Access Network）
１１１  ＧＧＳＮ（Gateway GPRS Support Node）
２００  インターネット
２０１  Ｐ−ＣＳＣＦサーバ
２０２  ＤＮＳサーバ
２１０  ローカルエリアネットワーク
２１１  ＤＨＣＰサーバ
３００  ＩＭＳ携帯端末
３１０  制御部
４００  ＵＩＭカード
【図１】
2013239884.tif 000003
【図２】
2013239884.tif 000004
【図３】
2013239884.tif 000005
【図４】
2013239884.tif 000006
【図５】
2013239884.tif 000007
【図６】
2013239884.tif 000008
【図７】
2013239884.tif 000009
【図８】
2013239884.tif 000010
【図９】
2013239884.tif 000011